(57)【要約】      （修正有）【課題】様々な形態で配置することができる除湿バッグを提供する。【解決手段】様々な配置形態の除湿バッグであって、バッグ本体、および前記バッグ本体に配置された吸湿媒体を備え、前記バッグ本体の表面に換気領域２が設けられ、前記換気領域以外はシール領域３であり、前記吸湿媒体は前記換気領域によって空気中の水分を吸収し、前記バッグ本体の底部に拡張部４が設けられる。【選択図】図１
0003223319.tif 000002
【実用新案登録請求の範囲】
【請求項１】
様々な配置形態の除湿バッグであって、バッグ本体、および前記バッグ本体に配置された吸湿媒体を備え、前記バッグ本体の表面に換気領域が設けられ、前記換気領域以外はシール領域であり、前記吸湿媒体は前記換気領域によって空気中の水分を吸収し、前記バッグ本体の底部に拡張部が設けられる、ことを特徴とする、
様々な配置形態の除湿バッグ。
【請求項２】
前記換気領域上に換気材料が覆われる、ことを特徴とする、
請求項１に記載の様々な配置形態の除湿バッグ。
【請求項３】
前記バッグ本体の頂部には、開閉可能なシールストリップが設けられる、ことを特徴とする、
請求項１に記載の様々な配置形態の除湿バッグ。
【請求項４】
前記バッグ本体の頂部には、それを吊り下げるための貫通孔が設けられる、ことを特徴とする、
請求項１に記載の様々な配置形態の除湿バッグ。
【請求項５】
前記貫通孔は、前記バッグ本体の頂部の片側または中央に配置される、ことを特徴とする、
請求項１に記載の様々な配置形態の除湿バッグ。
【請求項６】
前記バッグ本体の頂部には、吊り下げ用のハンガーが配置される、ことを特徴とする、
請求項１に記載の様々な配置形態の除湿バッグ。
【請求項７】
前記バッグ本体の頂部には、吊り下げ用のストラップが配置される、ことを特徴とする、
請求項１に記載の様々な配置形態の除湿バッグ。
【請求項８】
前記シール領域に異なるパターンまたは形状を印刷することができ、前記形状は前記バッグ本体から突出することができる、ことを特徴とする、
請求項１に記載の様々な配置形態の除湿バッグ。
【請求項９】
さらに保護層が配置され、前記保護層は前記換気材料の表面上に配置される、ことを特徴とする、
請求項１または２に記載の様々な配置形態の除湿バッグ。
【請求項１０】
前記保護層は前記換気材料の表面にヒートシールされ、前記保護層の周縁は換気材料の周縁のシール領域にペーストされる、ことを特徴とする、
請求項９に記載の様々な配置形態の除湿バッグ。
【考案の詳細な説明】
【技術分野】
【０００１】
本実用新案は、除湿の技術分野、具体的には様々な形態で配置することができる除湿バッグに関する。
【背景技術】
【０００２】
湿気がある場所では、ワードローブ、引き出し、靴箱、書棚、収納箱、楽器、書画などの貴重品が湿気を帯びやすく、湿気とカビの現象がある。
現在、除湿ボックスは一般に市場で販売され、これはユーザに多くの利便性をもたらし、また多くの家庭用品の耐用年数を延ばし、市場の除湿ボックスは主にフレーク、粉末または粒状の塩化カルシウムを用いて除湿し、特定の除湿効果を発揮することができるが、次のような欠点もある、
１、除湿ボックスは堅いプラスチック構造であり、使用ときに特定のスペースを占める。
２、除湿ボックスはその中に余分な湿気を蓄え、そしてそれが不適切に置かれるかまたは外力を受けると、吸収された水分を落としやすい。
３、除湿ボックス内の水を定期的に排出する必要がある。
４、除湿ボックスの置き方式が単一であり、使用が制限される。
５、現在、販売されているのは基本的に除湿ボックスであり、この除湿ボックスも使い捨て製品であり、使い切られた後に廃棄され、プラスチック廃棄物となり、環境に影響を及ぼし、環境保護に役立たない。
６、落下して割れやすく、かつ検出されにくく、ダンプしやすい。 
【考案の概要】
【考案が解決しようとする課題】
【０００３】
市場に存在する従来技術の欠点を考慮して、本実用新案は、様々な形態で配置できる除湿バッグを提供することを目的とし、吸湿媒体をバッグ本体内の換気領域に配置し、同時にバッグ本体を異なる配置姿勢に適応するように配置することによって、異なる適用場所に適応し、そして、バッグ本体にシール領域がさらに設けられ、シール領域に異なるパターンを印刷することができ、または異なる形状を製造することができ、既存の除湿バッグの単調な形状の問題を解決し、消費者に対する本実用新案の使い勝手が改善され、最後に、バッグ本体は市場の要求を満たすために異なる形状に製造することもできる。
【課題を解決するための手段】
【０００４】
上記目的を実現するために、本実用新案は、以下の技術的解決手段を採用する、
様々な配置形態の除湿バッグであって、バッグ本体、および前記バッグ本体に配置された吸湿媒体を備え、前記バッグ本体の表面に換気領域が設けられ、前記換気領域以外はシール領域であり、前記吸湿媒体は前記換気領域によって空気中の水分を吸収する。
さらに、前記バッグ本体の直立配置を達成するために、前記バッグ本体の底部に拡張部が設けられ、これによりバッグ本体の底部の面積を増大させて直立させることができることに留意されたい。
【０００５】
さらに、前記拡張部は、バッグ本体とは別の構造であり、かつバッグ本体の底部の周縁によってヒートシールされてもよいことに留意されたい。
さらに、前記換気領域には換気材料が覆われていることに留意されたい。
さらに、前記換気材料は、換気フィルムなどのような、従来技術において該機能を達成する材料であってもよいことに留意されたい。
さらに、前記換気領域の面積の大きさおよび換気領域の数は、実際の必要性に応じて配置することができ、例えば、換気領域の面積は、シール領域の一部または全部であってもよく、少なくとも１つの換気領域が配置され、または２つ以上のマトリックスタイプで規則または不規則に配置されてもよい。
【０００６】
好ましい技術的解決手段として、前記バッグ本体の頂部には、開閉可能なシールストリップが設けられる。
別の好ましい技術的解決手段として、前記バッグ本体の頂部には、それを吊り下げるための貫通孔が設けられる。
さらに、前記貫通孔は前記バッグ本体の頂部の片側または中央に配置されることに留意されたい。
さらなる好ましい技術的解決手段として、前記バッグ本体の頂部には、吊り下げ用のハンガーが配置される。
さらなる好ましい技術的解決手段として、前記バッグ本体の頂部には、吊り下げ用のランヤードが配置される。
さらなる好ましい技術的解決手段として、本実用新案はさらに保護層が配置され、前記保護層は前記換気材料の表面上に配置される。
さらなる好ましい技術的解決手段として、前記保護層は前記換気材料の表面にヒートシールされ、前記保護層の周縁は前記換気材料の周縁のシール領域にペーストされ、このようにして引き裂くときに換気材料への損傷が低減される。
【０００７】
さらに、保護層は、換気領域の面積の大きさに応じてペーストまたはヒートシールの方式を選択して配置することができ、例えば、シール領域の一部が換気領域であるとき、ペースト方式を選択して配置することができ、換気領域が片側のシール領域の全面積であるとき、すなわち、換気領域の周縁が片側のシール領域の縁部と重なり合うか、または換気領域の両側が片側のシール領域の一部の側辺と重なり合うと、ヒートシール方式を選択して配置することができる。
【０００８】
好ましい技術的解決手段として、前記シール領域に異なるパターンまたは形状を印刷することができる。また、前記形状は前記バッグ本体から突出することができる。
さらなる好ましい技術的解決手段として、前記バッグ本体上のシール領域の表面に窓が設けられてもよく、さらに、前記窓には透明カードが設けられ、前記窓の片側に水位の目盛りが設けられる。
【０００９】
本実用新案の変形として、前記バッグ本体、前記拡張部は一体成型構造であり、同様に、前記バッグ本体の表面に換気領域が設けられ、前記換気領域以外はシール領域であり、前記吸湿媒体は前記換気領域によって空気中の水分を吸収する。該一体構造中のシール領域および拡張部は硬い材料で作られてもよいことに留意されたい。
バッグ本体はまた、上記の変形に基づく任意の従来技術における幾何学的形状であってもよいことにさらに留意されたい。
【考案の効果】
【００１０】
本実用新案の有益な技術的効果は以下のとおりであり、構造が簡単で、使用しやすく、スペースの使用を低減させるだけでなく、適用範囲を最大化し、第二に、本実用新案は異なる配置姿勢に適しているため、換気領域が塞がれないことが確認されると、任意に配置することができ、さらに、本実用新案は環境への影響を最小化し、有益な環境保護効果を有し、最後に、シール領域にパターンを印刷したり形状を設定したりできるだけでなく、最終消費者の使いやすさが大幅に向上させ、製品が単調ではなくなり、バッグ本体は様々な消費者のニーズを満たすための任意の形状になることができる。 
【図面の簡単な説明】
【００１１】
【図１】図１は本実用新案の構造概略図である。
【図２】図２は本実用新案の断面構造概略図である。
【図３】図３は本実用新案の別の実施形態の構造概略図である。
【図４】図４は本実用新案の別の実施形態の構造概略図である。
【図５】図５は図４における別の実施形態の構造概略図である。
【図６】図６は本実用新案の別の実施形態の構造概略図である。
【図７】図７は本実用新案の別の実施形態の構造概略図である。
【図８】図８は本実用新案の別の実施形態の構造概略図である。
【図９】図９は本実用新案における換気領域の異なる形状の概略図である。
【図１０】図１０は本実用新案の別の換気領域の異なる形状の概略図である。
【考案を実施するための形態】
【００１２】
以下は図面を参照して本実用新案をさらに説明し、以下の実施形態は本技術的解決手段に基づいて、詳細な実施形態および具体的な操作手順が与えられるが、本実用新案の保護範囲は本実施例に限定されないことに留意されたい。
【００１３】
図１、図２に示すとおり、本実用新案は、様々な配置形態の除湿バッグであり、バッグ本体１、および前記バッグ本体１に配置された吸湿媒体を備え、前記バッグ本体１の表面に換気領域２が設けられ、前記換気領域２以外はシール領域３であり、前記吸湿媒体は前記換気領域２によって空気中の水分を吸収する。
【００１４】
本実用新案の構造をより具体的に説明するために、以下は好ましい実施例を提供するが、該実施例は本実用新案の説明のためだけのものであり、本実用新案の構造を限定するものではない。
【００１５】
好ましく、本実用新案のシール領域は、第一シール領域、第二シール領域を含み、かつ第一シール領域、第二シール領域の縁部をヒートシールした後にバッグ本体を形成し、前記換気領域は前記第一シール領域および／または第二シール領域に配置されてもよい。
また、図１および図２に示すとおり、前記バッグ本体の縦置きを実現するために、前記バッグ本体の底部に拡張部４が設けられることに注意されたい。さらに、前記拡張部は、バッグ本体とは別の構造であってもよく、かつ第一シール領域、第二シール領域の底部周縁によってヒートシールされる。
【００１６】
さらに、前記バッグ本体の形状は、既存の形状を含むがこれに限定されない。例えば、円、楕円、円柱などであり、同時に異形の形状にすることもできる。
【００１７】
図１に示すとおり、前記換気領域２上に換気材料２１が覆われる。
前記換気材料は、換気フィルムなどのような、従来技術において該機能を達成する材料であってもよいことにさらに留意されたい。
さらに、前記換気領域の面積の大きさ、換気領域の数は、実際の必要性に応じて配置することができ、例えば、換気領域の面積は、第一シール領域または第二シール領域の一部または全部であってもよく、少なくとも１つの換気領域を設け、また２つ以上のマトリックスタイプで配置しまたは不規則に配置することができる。さらに、換気領域の形状は、既存の幾何学的形状を含むがこれに限定されず、同時に、図９および図１０に示すとおり、異形の形状にすることもできる。
【００１８】
さらに、前記第一シール領域または第二シール領域は、透明または不透明の防水材料で製造されてもよい。透明材料で製造すれば、吸湿媒体の吸湿性をより直感的に観察することができる。
また、図８に示すとおり、不透明材料で製造すれば、その表面に異なるパターンを印刷することができ、または第一シール領域および／または第二シール領域を特定の形状に設定することができ、さらに、前記形状５００は、前記バッグ本体１から突出することができる。
【００１９】
図３に示すとおり、実施形態として、前記バッグ本体１の表面に換気領域２が設けられ、前記換気領域２以外はシール領域３であり、前記吸湿媒体は前記換気領域２によって空気中の水分を吸収し、さらに、前記バッグ本体１の頂部に開閉可能なシールストリップ１００が配置される。
【００２０】
図４、図５に示すとおり、別の実施形態として、前記バッグ本体１の表面に換気領域２が設けられ、前記換気領域２以外はシール領域３であり、前記吸湿媒体は前記換気領域２によって空気中の水分を吸収し、さらに、前記バッグ本体１の頂部にはそれを吊り下げるための貫通孔２００が設けられ、さらに、前記貫通孔２００は前記バッグ本体１の頂部の片側または中央に配置されてもよい。
【００２１】
図６に示すとおり、別の実施形態として、前記バッグ本体１に換気領域２およびシール領域３（図示せず）が設けられ、前記吸湿媒体は前記換気領域２によって空気中の水分を吸収し、さらに、前記バッグ本体１の頂部にハンガー３００が設けられる。
【００２２】
図７に示すとおり、別の実施形態として、前記バッグ本体１に換気領域２およびシール領域３が設けられ、前記吸湿媒体は前記換気領域２によって湿った空気を吸収し、さらに、さらなる実施形態として、前記バッグ本体１の頂部には吊り下げ用のランヤード４００が設けられる。
【００２３】
さらに、前記拡張部の機能は、バッグ本体を直立させることである。同時に、本実用新案に拡張部が設けられるとき、シールストリップ、ハンガーまたは貫通孔もまたバッグ本体の頂部に配置されてもよく、このようにして異なる配置方式を同時に提供することができる。
【００２４】
好ましい技術的解決手段として、前記第一シール領域または第二シール領に異なるパターンまたは形状を印刷することができる。
さらに好ましい技術的解決手段として、本実用新案に保護層がさらに設けられ、前記保護層は前記換気材料の表面上に配置されることにさらに留意されたい。
【００２５】
換気材料に対する保護層の影響を低減させるために、前記保護層はヒートシールまたはペーストの方式で配置することができ、具体的には、ヒートシール方式を採用するときに、前記保護層が前記換気材料の表面にヒートシールされ、ペーストの方式を採用するときに、前記保護層の周縁が前記換気材料の周縁の第一シール領域および／または第二シール領域にペーストされ、このようにして保護層を引き裂くときに換気材料への損傷を低減することができる。
【００２６】
さらに、保護層は、換気領域の面積の大きさに応じてペーストまたはヒートシールの方式を選択して配置することができ、例えば、シール領域の一部が換気領域であるとき、ペースト方式を選択して配置することができ、換気領域が第一シール領域および／または第二シール領域の全面積であるとき、すなわち、換気領域の周縁が第一シール領域および／または第二シール領域の縁部と重なり合うか、または換気領域の両側が第一シール領域および／または第二シール領域の一部の側辺と重なり合うと、ヒートシールの方式を選択して配置することができる。
【００２７】
さらに、前記保護層は、硬度を有するフィルムまたはシート状材料で製造することができ、このようにして本実用新案のバッグ本体の直立状態で部分的な支持効果を提供することができる。当然で、バッグ本体の直立姿勢を確実にするために、前記バッグ本体のシール領域は硬い材料で製造することができる。
【００２８】
さらなる好ましい技術的解決手段として、前記バッグ本体上の第一シール領域または第二シール領域の一部が透明材料で製造すれば、透明材料の片側に水位目盛りを付けることができる。このように、吸湿媒体が塩化カルシウムである場合、透明材料を通してバッグ内の水位の変化を観察して吸湿量を決定することができる。
さらに、本実用新案における換気材料は、換気フィルムなどのような従来技術において該機能を達成する材料であってもよいことに留意されたい。
【００２９】
本実用新案で説明した除湿機能に加えて、同様に、防虫機能を有する媒体または芳香機能を有する媒体をバッグ本体に直接添加することができ、本実用新案の様々な用途をさらに実現する。
上記吸湿媒体に防虫媒体を添加する場合、本実用新案の構造は実際の状況に応じて変えることができる。
本実用新案の変形として、前記バッグ本体、前記拡張部は一体成型構造であり、同様に、前記バッグ本体の表面に換気領域が設けられ、前記換気領域以外はシール領域であり、前記吸湿媒体は前記換気領域によって空気中の水分を吸収する。該一体構造中のシール領域および拡張部は硬い材料で作られてもよいことに留意されたい。
バッグ本体はまた、上記の変形に基づく任意の従来技術における幾何学的形状であってもよいことにさらに留意されたい。
【実施例】
【００３０】
使用時に、吸湿を必要とするところで、本実用新案を吊り下げられる、直立する、または横になる方式で配置すればよく、続いて、バッグ本体上に配置された換気領域によって吸湿し、具体的には、換気材料の側面で吸湿するように設定することによって、吸湿媒体が吸湿変色の材料を使用する場合、本実用新案の吸湿度は色深度によって知ることができ、それによって交換する必要があるかどうかを決定し、また、吸湿媒体が塩化カルシウムであるときに、バッグ本体上の窓からバッグ内の水位変化を観察することができ、かつ水位線によって水位の高さを決定することができる。
【００３１】
第二に、本実用新案の換気材料の表面にさらに保護層が設けられ、保護層は換気材料の表面にヒートシールするか、または換気材料表面の周縁のシール領域にペーストすることによって配置し、該保護層を剥がして使用することができる。
さらに、本実用新案のシール領域は、透明または不透明の防水材料から製造することができるが、透明または不透明のどちらの材料を使用する場合でも、図８に示すとおり、製品の使いやすさを向上させるために、表面にパターンを印刷するかまたは形状を設計することができる。
【００３２】
また、本実用新案のバッグ本体に、異なる用途を達成するために異なる媒体を配置することができ、例えば、防虫媒体を入れると防虫効果を果たすことができ、揮発性の芳香媒体を入れると環境中の香りが増すことができる。
最後に、本実用新案のバッグ本体は、それだけには限定されないが、既存の従来の幾何学的立体図形などを含む様々な形状に製造することができる。
【００３３】
当業者であれば、上記の技術的解決手段および概念に従って、対応する様々な変更および修正を加えることができ、そのようなすべての変更および修正は、いずれも本実用新案の請求項の保護範囲に含まれるべきである。
【図１】
0003223319.tif 000003
【図２】
0003223319.tif 000004
【図３】
0003223319.tif 000005
【図４】
0003223319.tif 000006
【図５】
0003223319.tif 000007
【図６】
0003223319.tif 000008
【図７】
0003223319.tif 000009
【図８】
0003223319.tif 000010
【図９】
0003223319.tif 000011
【図１０】
0003223319.tif 000012
【手続補正書】
【提出日】令和1年7月30日(2019.7.30)
【手続補正１】
【補正対象書類名】実用新案登録請求の範囲
【補正対象項目名】全文
【補正方法】変更
【補正の内容】
【実用新案登録請求の範囲】
【請求項１】
様々な配置形態の除湿バッグであって、バッグ本体、および前記バッグ本体に配置された吸湿媒体を備え、前記バッグ本体の表面に換気領域が設けられ、前記換気領域以外はシール領域であり、前記吸湿媒体は前記換気領域によって空気中の水分を吸収し、前記バッグ本体の底部に拡張部が設けられる、ことを特徴とする、
様々な配置形態の除湿バッグ。
【請求項２】
前記換気領域上に換気材料が覆われる、ことを特徴とする、
請求項１に記載の様々な配置形態の除湿バッグ。
【請求項３】
前記バッグ本体の頂部には、開閉可能なシールストリップが設けられる、ことを特徴とする、
請求項１に記載の様々な配置形態の除湿バッグ。
【請求項４】
前記バッグ本体の頂部には、それを吊り下げるための貫通孔が設けられる、ことを特徴とする、
請求項１に記載の様々な配置形態の除湿バッグ。
【請求項５】
前記貫通孔は、前記バッグ本体の頂部の片側または中央に配置される、ことを特徴とする、
請求項４に記載の様々な配置形態の除湿バッグ。
【請求項６】
前記バッグ本体の頂部には、吊り下げ用のハンガーが配置される、ことを特徴とする、
請求項１に記載の様々な配置形態の除湿バッグ。
【請求項７】
前記バッグ本体の頂部には、吊り下げ用のストラップが配置される、ことを特徴とする、
請求項１に記載の様々な配置形態の除湿バッグ。
【請求項８】
前記シール領域に異なるパターンまたは形状が印刷されている、
又は、
前記シール領域に異なる形状が印刷され、前記形状は前記バッグ本体から突出する若しくは突出していない、
請求項１に記載の様々な配置形態の除湿バッグ。
【請求項９】
さらに保護層が配置され、前記保護層は前記換気材料の表面上に配置される、ことを特徴とする、
請求項２に記載の様々な配置形態の除湿バッグ。
【請求項１０】
前記保護層は前記換気材料の表面にヒートシールされ、前記保護層の周縁は換気材料の周縁のシール領域にペーストされる、ことを特徴とする、
請求項９に記載の様々な配置形態の除湿バッグ。